(57)【特許請求の範囲】
【請求項１】
筐体の内部の、２以上の側面が接合する位置にまたがるように配置されるスピーカと、
前記２以上の側面の内の２以上の側面に配置される放音孔
とを具備することを特徴とする撮像装置。
【請求項２】
更に、前記筐体に開閉可能及び回動可能に取り付けられる画像表示部を具備し、
前記２以上の側面の一つが、前記画像表示部の収納面を構成し、且つ前記放音孔を具備する
ことを特徴とする請求項１に記載の撮像装置。
【発明の詳細な説明】
【技術分野】
【０００１】
本発明は、スピーカを具備する撮像装置に関する。
【背景技術】
【０００２】
動画撮影可能な多くの撮像装置は、再生時に音声を聞く為にスピーカを内蔵する。撮像装置で再生する場合、外出先や屋外において再生することが想定される。従って、周囲の雑音等があっても再生音声が認識できる必要十分な音量を出力可能なスピーカ、例えば、ある程度口径の大きなスピーカが必要となる。
【０００３】
撮像装置の小型軽量化が進み、内蔵スピーカの配置が本体の大きさを決める要素の一つになってきている。図１２及び図１３は、従来の撮像装置の断面図を示す。スピーカ１１０が筐体を構成する外装部材１１２に平行に取り付けられている。放音孔１１６が、外装部材１１２の、スピーカ１１０に対面する位置に開けられている。基板１１４が、スピーカ１１０と上下位置で重なる位置関係に配置されており、基板１１４の幅とスピーカ１１０の厚みで撮像装置の幅方向の大きさが決定される。スピーカ１１０は、スピーカ押さえ部材１１８により、図示位置に固定されている。スピーカ１１０の口径を図１２に示す寸法Ｙ以下にすれば、寸法Ｘの分だけ撮像装置を小さくする事が出来る。しかし、スピーカ１１０の口径が小さくなり、再生時の音量が小さくなってしまう。
【０００４】
図１４は、開閉及び回動可能な画像表示部を備えた従来の撮像装置の斜視図を示す。このような撮像装置では、再生時に画像表示部１３０を開閉軸中心に９０度回転して開状態にして、再生画像を確認することが多い。その際、再生音が画像近傍から発生するように、スピーカの放音孔１３２を画像表示部１３０の収納面に設けることがある。しかし、この構成では、図１５に示すように、画像表示部１３０をその画像表示面を外側にして収納した場合、放音孔１３２が画像表示部１３０によって覆われてしまい、再生音がこもってしまう。
【０００５】
特許文献１には、撮像装置の筐体に対して開閉可能な画像表示部にスピーカを取り付ける構成が記載されている。図１６は、画像表示部を開いた状態での水平断面構造を示す。
【０００６】
画像表示部１４０は内部の構成部品を収納するパネル筐体１４２を有する。このパネル筐体１４２はほぼ直方体形状を有する。パネル筐体１４２の内部の一方の側面、即ち、画像表示部１４０を収容部に収容した際にカメラ本体１４４側を向く面に、液晶パネル１４６が配置されている。液晶パネル１４６の後側（即ち、背面側）には、液晶パネル１４６を照明するバックライト１４８が配置されている。バックライト１４８とパネル筐体１４２の内部の他方の側面との間に、基板１５０が配置されている。基板１５０の大きさは、バックライト１４８に比べて小さい。基板１５０とバックライト１４８とパネル筐体１４２とで囲まれる部分に、空きスペース１５２が形成される。この空きスペース１５２にスピーカ１５４が配置される。スピーカ１５４からの音声は、パネル筐体１４２の他方の側面から出される。
【特許文献１】特開平１１−２５２４１５号公報
【発明の開示】
【発明が解決しようとする課題】
【０００７】
従来のようなスピーカの配置では、本体の小型化を困難にしたり、音量又は音質を確保するのが難しかったりする。特許文献１に記載の構成では、画像表示部が大きくなってしまう。
【０００８】
本発明は、このような問題点を解決する撮像装置を提示することを目的とする。
【課題を解決するための手段】
【０００９】
本発明に係る撮像装置は、筐体の内部の、２以上の側面が接合する位置にまたがるように配置されるスピーカと、前記２以上の側面の内の２以上の側面に配置される放音孔とを具備することを特徴とする。
【００１０】
好ましくは、本発明に係る撮像装置は更に、前記筐体に開閉可能及び回動可能に取り付けられる画像表示部を具備し、前記２以上の側面の一つが、前記画像表示部の収納面を構成し、且つ前記放音孔を具備することを特徴とする。
【発明の効果】
【００１１】
本発明によれば、上述のようにスピーカを配置することで、スピーカの口径を小さくする事無しに、撮像装置の小型化を達成出来る。
【００１２】
また、開閉可能及び回動可能な画像表示部の収納面に放音孔を設け、別の面にも放音孔を設けることにより、画像表示部の収納如何によらず、明瞭な再生音を出す事が可能になる。
【発明を実施するための最良の形態】
【００１３】
以下、図面を参照して、本発明の実施例を詳細に説明する。
【実施例１】
【００１４】
図１は、本発明に係る撮像装置の一実施例の前方斜視図を示し、図２は、その後方斜視図を示す。
【００１５】
撮像装置１０の正面にレンズ部１２がある。撮像装置１０を被写体側から見た右側に、画像表示部１４が開閉可能及び回動可能に取り付けられている。撮像装置１０の本体の筐体１６は画像表示部１４を収納するための凹み（収納部）を具備し、その収納部にスピーカの放音孔１８が設けられている。筐体１６の底面は、底面カバー２０で覆われている。
【００１６】
図３は、スピーカ２２の取り付け部の分解図を示し、図４は、スピーカ２２の取り付け部の断面図を示す。
【００１７】
筐体１６には、ほぼ筒状のリブ２４が画像表示部１４の収納面とほぼ垂直に内方に延びている。筒状のリブ２４の先端は、筐体１６に対して斜めの端面２６を有する。スピーカ２２は、その端面２６に対向して取り付けられている。放音孔１８は、筒状のリブ２４内に位置する。押さえ部材２８が、図示しないネジにより筐体１６に固定され、スピーカ２２の中央部２２ａが、押さえ部材２８の凸部３０により筐体１６に付勢される。
【００１８】
図４に示すように、スピーカ２２は、筐体１６の側面と底面にまたがるように斜めに配置される。これにより、スピーカ２２の口径を小さくする事無く、基板３２を低い位置に配置できる。筐体１６の内壁と基板３２との間にスピーカ２２を挟まないので、撮像装置１０の幅サイズを小さくする事が可能となる。
【実施例２】
【００１９】
本発明の実施例２を説明する。図５は、実施例２に係る撮像装置１０ａの後方斜視図を示す。図６は、スピーカ取付け部の断面図を示す。実施例１と同じ作用の構成要素には同じ符号を付してある。
【００２０】
図５及び図６に示すように、筐体１６ａの筒状のリブ２４ａの一部を筐体１６ａの底面に露出させ、かつ露出面に更に放音孔３４を設ける。図７に示す様に、画像表示部１４を視認可能な状態に収納して再生を行う場合に、放音孔１８が画像表示部１４によって覆われはするものの、放音孔３４が露出しているので、再生音が明瞭に聞こえる。
【実施例３】
【００２１】
本発明の実施例３を説明する。図８は実施例３の後方斜視図を示す。図９はスピーカ取り付け部の部分斜視図を示す。図１０及び図１１は、スピーカ取り付け部の分解図を示す。
【００２２】
実施例３では、筐体４０の３つの面（図示例では、背面、底面及び側面）が接合する個所の内部にスピーカ４２を配置する。スピーカ４２は、押さえ部材４４によりリブ４６のスピーカ取り付け面４８に付勢され固定されている。筐体４０の３つの面のそれぞれに、リブ４６内と外気とを連通する放音孔５０，５２，５４を設けてある。３面のそれぞれに放音孔５０，５２，５４を設ける事で、２つの面の放音孔が覆われても、再生音を明瞭に聞くことが可能になる。筐体４０は更に、ネジ５６により別の筐体５８のボス６０，６２，６４に固定される。
【００２３】
また、図８に破線で示すように、スピーカ４２の出力音が３方向に出て行くので、使用者の顔の位置によらず、再生音の聞き取りが容易になる。
【００２４】
２つ又は３つの面の間にまたがるようにスピーカを配置する実施例を説明したが、結局のところ、本発明は、一般的に、２以上の面の間にまたがるようにスピーカを配置する構成を含む。
【図面の簡単な説明】
【００２５】
【図１】本発明の実施例１の前方斜視図である。
【図２】実施形態1の後方斜視図である。
【図３】実施形態1の分解図である。
【図４】実施形態1の部分断面図である。
【図５】実施形態２の後方斜視図である。
【図６】実施形態２の部分断面図である。
【図７】実施形態２の再生時使用姿勢の一例である。
【図８】実施形態３の後方斜視図である。
【図９】実施形態３のスピーカ取り付け構造である。
【図１０】実施形態３の分解図である。
【図１１】実施形態３の分解図である。
【図１２】従来例のスピーカ固定部の断面図である。
【図１３】従来例の平面図である。
【図１４】従来の撮像装置である。
【図１５】従来の撮像装置である。
【図１６】特許文献１の撮像装置の構成図である。
【符号の説明】
【００２６】
１０，１０ａ：撮像装置
１２：レンズ部
１４：画像表示部
１６，１６ａ：筐体
１８：放音孔
２０：底面カバー
２２：スピーカ
２４，２４ａ：リブ
２６：端面
２８：押さえ部材
３０：凸部
３２：基板
３４：放音孔
４０：筐体
４２：スピーカ
４４：押さえ部材
４６：リブ
４８：スピーカ取り付け面
５０，５２，５４：放音孔
５６：ネジ
６０，６２，６４：ボス
１１０：スピーカ
１１２：外装部材
１１４：基板
１１６：放音孔
１１８：スピーカ押さえ部材
１３０：画像表示部
１３２：放音孔
１４０：画像表示部
１４２：パネル筐体
１４４：カメラ本体
１４６：液晶パネル
１４８：バックライト
１５０：基板
１５２：空きスペース
１５４：スピーカ
【図１】
0004912287.tif 000002
【図２】
0004912287.tif 000003
【図３】
0004912287.tif 000004
【図４】
0004912287.tif 000005
【図５】
0004912287.tif 000006
【図６】
0004912287.tif 000007
【図７】
0004912287.tif 000008
【図８】
0004912287.tif 000009
【図９】
0004912287.tif 000010
【図１０】
0004912287.tif 000011
【図１１】
0004912287.tif 000012
【図１２】
0004912287.tif 000013
【図１３】
0004912287.tif 000014
【図１４】
0004912287.tif 000015
【図１５】
0004912287.tif 000016
【図１６】
0004912287.tif 000017